(57)【要約】【課題】照射範囲を容易に調整できる照明器具を提供すること。【解決手段】本発明では、電球の外方に反射傘を配設した照明器具において、前記反射傘は、内側に照射範囲が比較的広くなる広範囲照射用反射面と照射範囲が比較的狭くなる狭範囲照射用反射面とを形成し、前記広範囲照射用反射面は、反射した光が前記狭範囲照射用反射面で照射される光を横切って前記狭範囲照射用反射面よりも広い範囲を照射するように構成した。特に、前記広範囲照射用反射面と前記狭範囲照射用反射面とを前後に形成するとともに、電球の位置を前後に変更できるように構成し、しかも、前記反射傘の上下側部に前記広範囲照射用反射面を形成して、上下方向と左右方向とで照射範囲を異ならせることにした。【選択図】図４
2007287467.tif 000002
【特許請求の範囲】
【請求項１】
電球の外方に反射傘を配設した照明器具において、
前記反射傘は、内側に照射範囲が比較的広くなる広範囲照射用反射面と照射範囲が比較的狭くなる狭範囲照射用反射面とを形成したことを特徴とする照明器具。
【請求項２】
前記広範囲照射用反射面は、反射した光が前記狭範囲照射用反射面で照射される光を横切って前記狭範囲照射用反射面よりも広い範囲を照射するように構成したことを特徴とする請求項１に記載の照明器具。
【請求項３】
前記広範囲照射用反射面は、反射した光を前記狭範囲照射用反射面で反射させることで前記狭範囲照射用反射面よりも広範囲に光を照射するように構成したことを特徴とする請求項１又は請求項２に記載の照明器具。
【請求項４】
前記広範囲照射用反射面と前記狭範囲照射用反射面とを前後に形成するとともに、電球の位置を前後に変更できるように構成したことを特徴とする請求項１〜請求項３のいずれかに記載の照明器具。
【請求項５】
前記反射傘の上下側部に前記広範囲照射用反射面を形成して、上下方向と左右方向とで照射範囲を異ならせたことを特徴とする請求項１〜請求項４のいずれかに記載の照明器具。
【請求項６】
正方形状のケーシングに前記反射傘を配設したことを特徴とする請求項５に記載の照明器具。
【請求項７】
照明器具の電球の外方に配設した反射傘において、
照射範囲が比較的広くなる広範囲照射用反射面と照射範囲が比較的狭くなる狭範囲照射用反射面とを有することを特徴とする反射傘。
【請求項８】
前記広範囲照射用反射面は、反射した光が前記狭範囲照射用反射面で照射される光を横切って前記狭範囲照射用反射面よりも広い範囲を照射するように構成したことを特徴とする請求項７に記載の反射傘。
【請求項９】
前記広範囲照射用反射面は、反射した光を前記狭範囲照射用反射面で反射させることで前記狭範囲照射用反射面よりも広範囲に光を照射するように構成したことを特徴とする請求項７又は請求項８に記載の反射傘。
【請求項１０】
上下側部に前記広範囲照射用反射面を形成して、上下方向と左右方向とで照射範囲を異ならせたことを特徴とする請求項７〜請求項９のいずれかに記載の反射傘。
【発明の詳細な説明】
【技術分野】
【０００１】
本発明は、照明器具及び反射傘に関するものである。
【背景技術】
【０００２】
従来より、競技場や球技場などにおいては、複数台の照明器具を用いて広いスペース全体を照らすようにしている。
【０００３】
この照明器具は、電球の外方に反射傘を配設して、電球から放射された光を反射傘で反射して、予め設定された所定範囲内を均一の明るさで照射するように構成していた（たとえば、特許文献１参照。）。
【特許文献１】特開２００４−３４９２３５号公報
【発明の開示】
【発明が解決しようとする課題】
【０００４】
ところが、上記従来の照明器具では、予め設定された所定範囲内においては均一の明るさで照射することができるものの、所定範囲外においては非常に暗くてほとんど照射することができないものであった。
【０００５】
そのため、競技場や球技場などの広いスペース全体を照射する場合には、各照明器具の間隔を狭くして、各照明器具で照射される照射範囲同士が隣接するように複数の照明器具を設置する必要があり、照明器具の台数の増加に伴って設備コストやランニングコストが増大していた。
【課題を解決するための手段】
【０００６】
そこで、請求項１に係る本発明では、電球の外方に反射傘を配設した照明器具において、前記反射傘は、内側に照射範囲が比較的広くなる広範囲照射用反射面と照射範囲が比較的狭くなる狭範囲照射用反射面とを形成することにした。
【０００７】
また、請求項２に係る本発明では、前記請求項１に係る本発明において、前記広範囲照射用反射面は、反射した光が前記狭範囲照射用反射面で照射される光を横切って前記狭範囲照射用反射面よりも広い範囲を照射するように構成することにした。
【０００８】
また、請求項３に係る本発明では、前記請求項１又は請求項２に係る本発明において、前記広範囲照射用反射面は、反射した光を前記狭範囲照射用反射面で反射させることで前記狭範囲照射用反射面よりも広範囲に光を照射するように構成することにした。
【０００９】
また、請求項４に係る本発明では、前記請求項１〜請求項３のいずれかに係る本発明において、前記広範囲照射用反射面と前記狭範囲照射用反射面とを前後に形成するとともに、電球の位置を前後に変更できるように構成することにした。
【００１０】
また、請求項５に係る本発明では、前記請求項１〜請求項４のいずれかに係る本発明において、前記反射傘の上下側部に前記広範囲照射用反射面を形成して、上下方向と左右方向とで照射範囲を異ならせることにした。
【００１１】
また、請求項６に係る本発明では、前記請求項５に係る本発明において、正方形状のケーシングに前記反射傘を配設することにした。
【００１２】
また、請求項７に係る本発明では、照明器具の電球の外方に配設した反射傘において、照射範囲が比較的広くなる広範囲照射用反射面と照射範囲が比較的狭くなる狭範囲照射用反射面とを有することにした。
【００１３】
また、請求項８に係る本発明では、前記請求項７に係る本発明において、前記広範囲照射用反射面は、反射した光が前記狭範囲照射用反射面で照射される光を横切って前記狭範囲照射用反射面よりも広い範囲を照射するように構成することにした。
【００１４】
また、請求項９に係る本発明では、前記請求項７又は請求項８に係る本発明において、前記広範囲照射用反射面は、反射した光を前記狭範囲照射用反射面で反射させることで前記狭範囲照射用反射面よりも広範囲に光を照射するように構成することにした。
【００１５】
また、請求項１０に係る本発明では、前記請求項７〜請求項９のいずれかに係る本発明において、上下側部に前記広範囲照射用反射面を形成して、上下方向と左右方向とで照射範囲を異ならせることにした。
【発明の効果】
【００１６】
そして、本発明では、以下に記載する効果を奏する。
【００１７】
すなわち、請求項１に係る本発明では、電球の外方に反射傘を配設した照明器具において、反射傘の内側に照射範囲が比較的広くなる広範囲照射用反射面と照射範囲が比較的狭くなる狭範囲照射用反射面とを形成しているために、１台の照明器具で照射できる照射範囲を広くすることができ、広いスペース全体を複数台の照明器具で照射する場合に照明器具の間隔を広げることができ、必要とする照明器具の台数を減らすことができるので、照明器具に要する設備コストやランニングコストを低減することができる。
【００１８】
また、請求項２に係る本発明では、広範囲照射用反射面は、反射した光が狭範囲照射用反射面で照射される光を横切って狭範囲照射用反射面よりも広い範囲を照射するように構成しているために、比較的近い照射距離で使用するときには比較的狭い範囲を明るく照射し、比較的遠い照射距離で使用するときには比較的広い範囲を照射することができ、照明器具の使い勝手を向上させることができる。
【００１９】
また、請求項３に係る本発明では、広範囲照射用反射面は、反射した光を狭範囲照射用反射面で反射させることで狭範囲照射用反射面よりも広範囲に光を照射するように構成しているために、１台の照明器具で照射できる照射範囲を広くすることができ、広いスペース全体を複数台の照明器具で照射する場合に照明器具の間隔を広げることができ、必要とする照明器具の台数を減らすことができるので、照明器具に要する設備コストやランニングコストを低減することができる。
【００２０】
また、請求項４に係る本発明では、広範囲照射用反射面と狭範囲照射用反射面とを前後に形成するとともに、電球の位置を前後に変更できるように構成しているために、電球の位置を前後に変更するだけで広範囲照射用反射面と狭範囲照射用反射面で反射する光の量を調節することができ、これによって照射範囲を容易に調節することができる。
【００２１】
また、請求項５に係る本発明では、反射傘の上下側部に広範囲照射用反射面を形成して、上下方向と左右方向とで照射範囲を異ならせているために、反射傘の向きを９０度回転させるだけで上下方向と左右方向の照射範囲を選択的に容易に変更することができる。
【００２２】
また、請求項６に係る本発明では、正方形状のケーシングに反射傘を配設しているために、反射傘の取付部材として共通の部材を使用することができる。
【００２３】
また、請求項７に係る本発明では、照明器具の電球の外方に配設した反射傘において、照射範囲が比較的広くなる広範囲照射用反射面と照射範囲が比較的狭くなる狭範囲照射用反射面とを有しているために、１台の照明器具で照射できる照射範囲を広くすることができ、広いスペース全体を複数台の照明器具で照射する場合に照明器具の間隔を広げることができ、必要とする照明器具の台数を減らすことができるので、照明器具に要する設備コストやランニングコストを低減することができる。
【００２４】
また、請求項８に係る本発明では、広範囲照射用反射面は、反射した光が狭範囲照射用反射面で照射される光を横切って狭範囲照射用反射面よりも広い範囲を照射するように構成しているために、比較的近い照射距離で使用するときには比較的狭い範囲を明るく照射し、比較的遠い照射距離で使用するときには比較的広い範囲を照射することができ、照明器具の使い勝手を向上させることができる。
【００２５】
また、請求項９に係る本発明では、広範囲照射用反射面は、反射した光を狭範囲照射用反射面で反射させることで狭範囲照射用反射面よりも広範囲に光を照射するように構成しているために、１台の照明器具で照射できる照射範囲を広くすることができ、広いスペース全体を複数台の照明器具で照射する場合に照明器具の間隔を広げることができ、必要とする照明器具の台数を減らすことができるので、照明器具に要する設備コストやランニングコストを低減することができる。
【００２６】
また、請求項１０に係る本発明では、上下側部に広範囲照射用反射面を形成して、上下方向と左右方向とで照射範囲を異ならせているために、反射傘の向きを９０度回転させるだけで上下方向と左右方向の照射範囲を選択的に容易に変更することができる。
【発明を実施するための最良の形態】
【００２７】
以下に、本発明に係る照明器具の具体的な構造について図面を参照しながら説明する。
【００２８】
図１〜図３に示すように、照明器具１は、正面視正方形状の矩形箱型のケーシング２の内部に電球３を収容し、電球３の外方に反射傘４を配設している。
【００２９】
ケーシング２は、矩形箱型状の本体５の開口部に矩形枠状の枠体６を開閉自在に取付け、枠体６の裏面に矩形板状のガラス体７を取付け、さらには、本体５の内周部に矩形枠状の受枠８を取付け、この受枠８に反射傘４を取付けている。
【００３０】
また、ケーシング２は、本体５の底部に安定器９と電球固定具10とを取付けている。このように、照明器具１では、反射傘４と本体５との間の空間を利用して安定器９と電球固定具10とを収容している。
【００３１】
電球３は、ケーシング２の本体５の底部に取付けた電球固定具10に前後方向に移動可能に取付けられている。なお、電球固定具10は、ケーシング２の本体５の底部に上下方向に移動可能に取付けられている。これにより、電球３は、上下方向と前後方向に移動させることができるようになっている。
【００３２】
反射傘４は、断面円弧状の狭範囲照射用反射面11の上下側部に断面直線状の広範囲照射用反射面12,13を形成している。図中14は、電球３を挿通する貫通孔である。
【００３３】
狭範囲照射用反射面11は、広範囲照射用反射面12,13と比べて比較的狭い範囲を照射するように形成された反射面であり、広範囲照射用反射面12,13は、狭範囲照射用反射面11と比べて比較的広い範囲を照射するように形成された反射面である。
【００３４】
図４に示すように、電球３から放射された光は、狭範囲照射用反射面11で反射して前方の比較的狭い範囲を明るく照射するとともに、広範囲照射用反射面12,13で反射して前方の比較的広い範囲を照射することになる。その際に、広範囲照射用反射面12,13で反射した光は、狭範囲照射用反射面11で反射した光を横切って、途中から狭範囲照射用反射面11で反射した光よりも広い範囲を照射するようにしている。これにより、所定距離よりも近い場所では、狭範囲照射用反射面11で照射される範囲内を広範囲照射用反射面12,13で反射した光も照射することになって、狭範囲照射用反射面11で照射される範囲の輝度を向上させることができ、一方、所定距離よりも遠い場所では、狭範囲照射用反射面11で照射される範囲外を広範囲照射用反射面12,13で反射した光が照射することになって、照射範囲を広くすることができる。すなわち、照射距離によって照射範囲を段階的に拡大させることができ、比較的近い照射距離で使用するときには比較的狭い範囲を明るく照射し、比較的遠い照射距離で使用するときには比較的広い範囲を照射することができ、照明器具１の使い勝手を向上させることができる。
【００３５】
反射傘４は、断面円弧状の狭範囲照射用反射面11と断面直線状の広範囲照射用反射面12,13とで構成する場合に限られず、図５〜図７に示す反射傘15のように、断面円弧状の狭範囲照射用反射面16及び広範囲照射用反射面17で構成することもできる。
【００３６】
この反射傘15では、図７に示すように、光源から放射された後に広範囲照射用反射面17で反射した光が直接外部を照射するのではなく、光源から放射された後に広範囲照射用反射面17で反射した光が狭範囲照射用反射面16で反射して、光源から放射された後に狭範囲照射用反射面16だけで反射した光を横切って、途中から広い範囲を照射するようにしている。
【００３７】
以上に説明したように、上記照明器具１では、反射傘４(15)の内側に照射範囲が比較的広くなる広範囲照射用反射面12,13(17)と照射範囲が比較的狭くなる狭範囲照射用反射面11(16)とを形成しているために、１台の照明器具１で照射できる照射範囲を広くすることができ、広いスペース全体を複数台の照明器具１で照射する場合に照明器具１の間隔を広げることができ、必要とする照明器具１の台数を減らすことができるので、照明器具１に要する設備コストやランニングコストを低減することができる。
【００３８】
特に、上記照明器具１では、広範囲照射用反射面12,13(17)で反射した光が狭範囲照射用反射面11(16)で照射される光を横切って狭範囲照射用反射面11(16)よりも広い範囲を照射するように構成しているために、比較的近い照射距離で使用するときには比較的狭い範囲を明るく照射し、比較的遠い照射距離で使用するときには比較的広い範囲を照射することができ、照明器具１の使い勝手を向上させることができる。
【００３９】
また、上記照明器具１の反射傘４では、広範囲照射用反射面12,13と狭範囲照射用反射面11とを前後に形成するとともに、電球３の位置を前後に変更できるように構成しているために、電球３の位置を前後に変更するだけで広範囲照射用反射面12,13と狭範囲照射用反射面11で反射する光の量を調節することができ、これによって照射範囲を容易に調節することができる。
【００４０】
また、上記照明器具１の反射傘４では、反射傘４の上下側部に広範囲照射用反射面12,13を形成しているために、上下方向と左右方向とで照射範囲を異ならせることができ、これにより、反射傘４（照明器具１）の向きを９０度回転させるだけで上下方向と左右方向の照射範囲を選択的に容易に変更することができる。
【００４１】
特に、上記照明器具１では、正方形状のケーシング２に反射傘４を配設しているために、反射傘４の取付部材として共通の部材を使用することができる。
【図面の簡単な説明】
【００４２】
【図１】本発明に係る照明器具を示す正面図。
【図２】同横断面図。
【図３】同縦断面図。
【図４】同照射範囲を示す説明図。
【図５】他の反射傘を示す断面図。
【図６】同正面図。
【図７】同照射範囲を示す説明図。
【符号の説明】
【００４３】
１  照明器具                              ２  ケーシング
３  電球                                  ４  反射傘
５  本体                                  ６  枠体
７  ガラス体                              ８  受枠
９  安定器                                10  電球固定具
11  狭範囲照射用反射面                    12,13  広範囲照射用反射面
14  貫通孔                                15  反射傘
16  狭範囲照射用反射面                    17  広範囲照射用反射面
【図１】
2007287467.tif 000003
【図２】
2007287467.tif 000004
【図３】
2007287467.tif 000005
【図４】
2007287467.tif 000006
【図５】
2007287467.tif 000007
【図６】
2007287467.tif 000008
【図７】
2007287467.tif 000009